(57)【要約】【課題】窓の開閉位置を複数のパターンで記憶でき、その記憶操作も簡単であり、さらに、複数のパターンを選択し且つ選択されたパターンに窓を開閉制御することも極めて簡単化できるようにする。【解決手段】制御装置１１は、ユーザーによるスイッチ２ないし６の操作に基づいて各モータ１３ないし１６を駆動制御して車両の各窓を開閉させると共に、各窓の開閉位置をロータリーエンコーダ１３Ａないし１６Ａにより検出し、登録スイッチ６の操作と指定スイッチ７又は８との操作に基づいて該検出された各窓の開閉位置状態のパターンを不揮発性メモリ１２に記憶させ、指定スイッチ７又は８が単独に操作されたときに当該指定スイッチにより指定された各窓の開閉状態パのターンとなるように各モータ１３ないし１６を駆動制御する。【選択図】図１
2010084462.tif 000002
【特許請求の範囲】
【請求項１】
車両の運転席側のドアに設けられたウインドウスイッチパネルと、
このウインドウスイッチパネルに設けられ前記車両の各窓を開閉するための複数のウインドウスイッチと、
前記各窓を個別に開閉動作させるモータと、
前記各窓に対応して設けられ該各窓の開閉位置を検出する開閉位置検出手段と、
前記各窓の開閉位置状態を複数パターンで区別化して記憶可能な記憶手段と、
ユーザーにより操作される登録スイッチと、
ユーザーにより操作され前記各窓の開閉位置状態の複数のパターンの一つを指定するための複数のパターン指定スイッチと、
ユーザーによる前記ウインドウスイッチの操作に基づいて各モータを駆動制御して前記各窓を開閉させると共に、各窓の開閉位置を前記開閉位置検出手段により検出し、前記登録スイッチの操作とパターン指定スイッチとの操作に基づいて該検出された各窓の開閉位置状態のパターンを前記記憶手段に記憶させ、前記パターン指定スイッチが単独に操作されたときに当該パターン指定スイッチにより指定された各窓の開閉状態のパターンとなるように前記各モータを駆動制御する制御手段と
を備えてなるパワーウインドウ制御装置。
【発明の詳細な説明】
【技術分野】
【０００１】
本発明は、換気などのために各窓を所望の開閉位置に自動的に開閉制御するパワーウインドウ制御装置に関する。
【背景技術】
【０００２】
従来、パワーウインドウ装置としては、特許文献１や特許文献２に記載されたものが知られている。特許文献１に記載のパワーウインドウ制御装置には、タイマ操作により換気の窓の開閉位置を、例えば、状、中、下の３段階の一つに設定し、換気用スイッチを押した時に、全窓を設定された開閉位置に動作させ、車内の換気を行うようにしている。
【０００３】
また、特許文献２に記載のパワーウインドウ制御装置には、全ての窓が閉塞状態で運転席のパワーウインドウスイッチをユーザーの希望する位置を開放しておき、この状態で他のパワーウインドウスイッチを閉方向へ操作しつつ運転席のパワーウインドウスイッチを短時間オンすることにより、窓の開閉位置を現在の開閉位置に設定し、全ての窓が閉塞状態のときに運転席のパワーウインドウスイッチを短時間で開方向へ操作することにより換気モードとして、運転席の窓を前記設定された開閉位置に移動させる構成としている。
【特許文献１】特開平０７−２２９３５９号公報
【特許文献２】特開２００４−１０８１２３号公報
【発明の開示】
【発明が解決しようとする課題】
【０００４】
前記特許文献１に記載のものでは、窓の開閉位置も１パターンしか選択できず、窓の開閉位置の選択自由度が少なく、しかも、全窓が同じ開閉位置に制御されるため、窓開放のバリエーションが少なく、実用価値が低い問題があった。
【０００５】
また前記引用文献２に記載のものでは、全ての窓を一旦閉成した上で特定スイッチ操作をしなければ窓の開閉位置の設定ができず、窓開閉位置設定が極めて面倒で、しかも設定した開閉位置への制御も、全ての窓を一旦閉成しなければならず、これもまた極めて面倒である。また、窓の開閉位置も１パターンしか選択できず、選択自由度も低く、この場合も運転席の窓のみが設定開閉位置に制御されるため、窓開放のバリエーションが少なく、実用価値が低い問題があった。
【０００６】
本発明は、上述の事情に鑑みてなされたものであり、その目的は、窓の開閉位置を複数のパターンで記憶でき、その記憶操作も簡単であり、さらに、複数のパターンを選択し且つ選択されたパターンに窓を開閉制御することも極めて簡単にでき、総じて実用価値の高いパワーウインドウ制御装置を提供することにある。
【課題を解決するための手段】
【０００７】
本発明は、車両の運転席側のドアに設けられたウインドウスイッチパネルと、このウインドウスイッチパネルに設けられ前記車両の各窓を開閉するための複数のウインドウスイッチと、前記各窓を個別に開閉動作させるモータと、前記各窓に対応して設けられ該各窓の開閉位置を検出する開閉位置検出手段と、前記各窓の開閉位置状態を複数パターンで区別化して記憶可能な記憶手段と、ユーザーにより操作される登録スイッチと、ユーザーにより操作され前記各窓の開閉位置状態の複数のパターンの一つを指定するための複数のパターン指定スイッチと、ユーザーによる前記ウインドウスイッチの操作に基づいて各モータを駆動制御して前記各窓を開閉させると共に、各窓の開閉位置を前記開閉位置検出手段により検出し、前記登録スイッチの操作とパターン指定スイッチとの操作に基づいて該検出された各窓の開閉位置状態のパターンを前記記憶手段に記憶させ、前記パターン指定スイッチが単独に操作されたときに当該パターン指定スイッチにより指定された各窓の開閉状態のパターンとなるように前記各モータを駆動制御する制御手段とを備えてなる。
【０００８】
本発明においては、ユーザーが各窓の開閉位置を設定登録したいときには、ユーザーが前記ウインドウスイッチの操作に基づいて各モータを駆動制御して前記各窓を希望の開閉位置に開放させておき、前記登録スイッチの操作と複数のパターン指定スイッチのうちの一つとを操作すると、この希望の開閉位置のパターンを前記記憶手段に記憶させることができる。また、開閉位置の異なる別のパターンを記憶させる場合には、前記登録スイッチと別のパターン指定スイッチとの操作により、当該別のパターンの開閉位置を区別して記憶させることができる。従って、複数の開閉位置パターンを記憶できる。
【０００９】
そして、前記パターン指定スイッチが単独に操作されたときに当該パターン指定スイッチにより指定された各窓の開放パターンとなるように前記各モータを駆動制御するから、単にパターン指定スイッチを操作するだけで、複数のパターンの一つを選択しつつ各窓を所望の開閉位置に動作制御することができる。
【発明の効果】
【００１０】
本発明は、窓の開閉位置を複数のパターンで記憶でき、その設定操作も簡単であり、さらに、複数のパターンを選択し且つ選択されたパターンに窓を開閉制御することも極めて簡単化でき、総じて実用価値を高くできる。
【発明を実施するための最良の形態】
【００１１】
以下、本発明の一実施例につき図面を参照しながら説明する。図１には、パワーウインドウ制御装置１１の電気的構成を示し、図２にはパワーウインドウ制御装置１１のウインドウスイッチパネル１Ａを示している。まず、図２に示すウインドウスイッチパネル１Ａは車両の運転席（前右側）のドア内側に設けられている。このウインドウスイッチパネル１Ａには、いずれもパワーウインドウスイッチとしてのＦＲ窓用スイッチ２、ＦＬ窓用スイッチ３、ＲＲ窓用スイッチ４、ＲＬ窓用スイッチ５が設けられている。
【００１２】
ＦＲ窓用スイッチ２２は図示しない前右側の窓（以下ＦＲ窓と称する）を開閉させるためのものである。また、ＦＬ窓用スイッチ３は、図示しない前左側の窓（以下ＦＬ窓と称する）を開閉させるためのものである。また、ＲＲ窓用スイッチ４は、図示しない後右側の窓（以下ＲＲ窓と称する）を開閉させるためのものである。またＲＬ窓用スイッチ５は、図示しない後左側の窓（以下ＲＬ窓と称する）を開閉させるためのものである。
【００１３】
これら各スイッチ２ないし５は、ユーザーにより操作されるものであり、ＦＲ窓用スイッチ２は、上下方向にそれぞれ２段操作が可能であり、一段目の上方向の操作では、操作している間はＦＲ窓を上方向に動作させるための指令を出し、二段目の上方向の操作では、その操作をやめてもＦＲ窓を全閉位置まで動作させるための指令を出し、一段目の下方向の操作では、操作している間はＦＲ窓を下方向に動作させるための指令を出し、二段目の下方向の操作では、その操作をやめてもＦＲ窓を全開位置まで動作させるための指令を出し、二段目の上方向の操作では、その操作をやめてもＦＲ窓を全閉位置まで動作させるための指令を出す。
【００１４】
また、他のスイッチ３〜５は、上方向の操作をしている間は、対応する窓を上方向（閉方向）へ動作させるための指令を出し、下方向の操作をしている間は、対応する窓を下方向（開方向）へ動作させるための指令を出す。これら各スイッチ２〜５からの指令は後述の制御装置１１に入力される。
【００１５】
さらにこのウインドウスイッチパネル１Ａには、登録スイッチ６が設けられていると共に、パターン指定スイッチとして第１の指定スイッチ７と第２の指定スイッチ８とが設けられている。なお、このウインドウスイッチパネル１Ａには、ドアロックスイッチ９、ウインドロックスイッチ１０が設けられている。
【００１６】
図１において、制御手段としての制御装置１１は、ＣＰＵ、ＲＡＭ、ＲＯＭを備えたマイクロコンピュータを含んで構成されており、前記各スイッチ２ないし１０の入力が与えられるようになっている。さらに、この制御装置１１には、記憶手段たる不揮発性メモリ１２が接続され、また、モータとしてＦＲ窓用モータ１３、ＦＬ窓用モータ１４、ＲＲ窓用モータ１５、ＲＬ窓用モータ１６が接続されている。これら各モータ１３ないし１６は正逆回転することにより各窓を開閉可能である。
【００１７】
また、これら各モータ１３ないし１６には、それぞれ開閉位置検出手段としてのロータリーエンコーダ１３Ａないし１６Ａが設けられており、これらロータリーエンコーダ１３Ａないし１６Ａは対応するモータの回転角度位置を検出することで、対応する窓の開閉位置を検出することが可能で、各ロータリーエンコーダ１３Ａないし１６Ａの出力パルスは制御装置１１に与えられるようになっている。
【００１８】
図３は制御装置１１の制御内容を示しており、ステップＳ１では、窓用スイッチ２〜５のいずれかが操作された否かを判断し、操作されれば、ステップＳ２に移行して、その操作に基づいて対応する窓用モータを駆動制御して、対応する窓を開動又は閉動する。ステップＳ３では、登録スイッチ６がオン操作されたか否かを判断し、オン操作されたことが判断されると、ステップＳ４に移行して、この時点での各窓の開閉位置を検出する。このステップＳ４では、前記ステップＳ２での各窓の位置を検出しても良いし、このステップＳ４でユーザーにより各窓を開閉してその開閉位置を検出するようにしても良い。
【００１９】
次のステップＳ５では、第１の指定スイッチ７及び第１の指定スイッチ８のいずれかがオン操作されたか否かを判断する。制御装置１１は、第１の指定スイッチ７がオン操作されたときには、不揮発性メモリ１２の記憶エリアとして第１の記憶エリアを使用し、また第２の指定スイッチ８がオン操作されたときには、不揮発性メモリ１２の記憶エリアとして第２の記憶エリアを使用するようになっている。
【００２０】
上記ステップＳ５で第１の指定スイッチ７がオン操作されたと判断されると、前記検出された各窓の開閉位置のパターンを不揮発性メモリ１２の第１のエリアに記憶させる。また、第２の指定スイッチ８がオン操作されたと判断されると、前記検出された各窓の開閉位置のパターンを不揮発性メモリ１２の第２のエリアに記憶させる。
【００２１】
従って、ユーザーが記憶したい窓位置に窓を開閉調節して登録スイッチ６をオン操作してパターン指定スイッチ７又は８をオン操作すれば、パターン指定スイッチ７又は８に対応した記憶エリアにユーザーが調整した各窓の開閉位置のパターンが記憶されることになる。
【００２２】
前記ステップＳ３で登録スイッチ６がオン操作されていなければ、ステップＳ７に移行し、指定スイッチ７又は８がオンされた否かを判断し、オン操作されたことが判断されると、当該オン操作された指定スイッチ７又は８で記憶された記憶内容である各窓の開閉位置のパターンを読み出し、ステップＳ９で、この開閉位置となるように各モータ１３ないし１６を駆動制御して各窓を記憶された開閉位置に駆動する。
【００２３】
従って、登録スイッチ６がオン操作されず指定スイッチ７又は８のみがオン操作されたときには、記憶内容が読み出されて自動的に窓が記憶された開閉位置に開閉される。
このように本実施例によれば、ユーザーが各窓の開閉位置を設定登録したいときには、ユーザーが前記各窓用スイッチ２ないし５の操作に基づいて各モータ１３ないし１６を駆動制御して前記各窓を希望の開閉位置に動作させておき、前記登録スイッチ６の操作と指定スイッチ７又は８とを操作すると、この希望の開閉位置のパターンを不揮発性メモリ１２の異なる記憶エリアに区別化して記憶させることができる。
【００２４】
従って、開閉位置の異なる複数のパターンも区別して記憶させることができる。例えば、車内の換気を図る場合の一つのパターンとして、ＦＬ窓と、ＲＲ窓とを適宜の開放度で開放し、他の窓は閉鎖しておき、このような各窓の開閉位置を登録スイッチ６と第１の指定スイッチ７とにより不揮発性メモリ１２の第１の記憶エリアに記憶させ、車内の換気を図る場合の別のパターンとして、ＦＲ窓と、ＲＬ窓とを適宜の開放度で開放し、他の窓は閉鎖しておき、このような各窓の開閉位置を、登録スイッチ６と第２の指定スイッチ８とにより、不揮発性メモリ１２の第２の記憶エリアに記憶させるようにしても良い。その他のパターンで記憶させても良い。
【００２５】
そして、前記指定スイッチ７又は８が単独に操作されたときに当該指定スイッチ７又は８により区別化されて記憶された各窓の開閉パターンとなるように前記各モータ１３ないし１６を駆動制御するから、単に指定スイッチ７又は８を操作するだけで、複数のパターンの一つを選択しつつ各窓を所望の開閉位置に動作制御することができる。
【００２６】
なお、上記実施例では、パターン指定スイッチとして２つ設けたが、さらに増やしても良い。また、開閉位置検出手段としては、ロータリーエンコーダに限られるものではない。
【図面の簡単な説明】
【００２７】
【図１】本発明の一実施例を示すパワーウインドウ制御装置の電気的構成のブロック図
【図２】ウインドウスイッチパネルの平面図
【図３】制御内容を示すフローチャート
【符号の説明】
【００２８】
図面中、１はパワーウインドウ制御装置、１Ａはウインドウスイッチパネル、２ＦＲ窓用スイッチ（パワーウインドウスイッチ）、３はＦＬ窓用スイッチ（パワーウインドウスイッチ）、４はＲＲ窓用スイッチ（パワーウインドウスイッチ）、５はＲＬ窓用スイッチ（パワーウインドウスイッチ）、６は登録スイッチ、７は第１の指定スイッチ（パターン指定スイッチ）、８は第２の指定スイッチ（パターン指定スイッチ）、１１は制御装置（制御手段）、１３ＦＲ窓用モータ（モータ）、１４はＦＬ窓用モータ（モータ）、１５はＲＲ窓用モータ（モータ）、１６はＲＬ窓用モータ（モータ）、１３Ａないし１６Ａはロータリーエンコーダ（開閉位置検出手段）を示す。
【図１】
2010084462.tif 000003
【図２】
2010084462.tif 000004
【図３】
2010084462.tif 000005